(57)【要約】【課題】デザイン性を向上させることができるだけでなく、内面部の見た目を綺麗に維持することができる収容体カバーを提供すること。【解決手段】ボトルを収容するカバー本体部２を備え、前記カバー本体部２は、外方側に露出する外面部２ａと、内方側に配されて、かつ装飾部３が設けられた内面部２ｂとを備えることを特徴とする。これにより、装飾部３が外方から見え隠れするようになる。また、内面部２ｂが濡れることがあっても、装飾部３の装飾によって、その濡れが目立たなくなる。【選択図】図１
0003199185.tif 000002
【実用新案登録請求の範囲】
【請求項１】
収容体を収容するカバー本体部を備え、
前記カバー本体部は、
外方側に露出する外面部と、
前記外面部に対して内方側に配され、かつ装飾部が設けられた内面部と
を備えることを特徴とする収容体カバー。
【請求項２】
前記カバー本体部の上端部が、前記外方側に折り返されて、前記装飾部が前記外方側に露出するように構成されていることを特徴とする請求項１に記載の収容体カバー。
【請求項３】
前記カバー本体部に、前記上端部を折り返すための折り返し線部が設けられていることを特徴とする請求項２に記載の収容体カバー。
【請求項４】
前記上端部の幅方向の一端が、前記カバー本体部の上端から連続して切り欠かれた切り欠き部とされていることを特徴とする請求項３に記載の収容体カバー。
【請求項５】
前記一端が、下方から上方にわたって前記上端部の幅方向の他端側に傾斜していることを特徴とする請求項４に記載の収容体カバー。
【請求項６】
前記折り返し線部が、前記切り欠き部の基端部から前記カバー本体部の上端側に傾斜して設けられていることを特徴とする請求項４又は請求項５に記載の収容体カバー。
【請求項７】
前記カバー本体部の上端が、前記上端部の幅方向の一端から他端にかけて、前記カバー本体部の下端側に傾斜していることを特徴とする請求項２から請求項６のいずれか一項に記載の収容体カバー。
【請求項８】
対向する前記内面部同士を固定する固定部が前記上端部に設けられていることを特徴とする請求項２から請求項７のいずれか一項に記載の収容体カバー。
【考案の詳細な説明】
【技術分野】
【０００１】
本考案は、収容体を収容する収容体カバーに関する。
【背景技術】
【０００２】
従来、ペットボトルや水筒などの収容体を収容する種々の収容体カバーが利用されている（例えば、特許文献１）。
これら収容体カバーは、底面を有して筒状に形成されて、内方側に収容体を収容するようになっている。これにより、携行性・保温性・保護性などを向上させるようになっている。
ここで、近年の収容体カバーとしては、収容体を収容し携行するときだけでなく、収容体内の液体を飲んだりするときや、その他種々の利用シーンなどでも、魅力的に映えるデザインであることが要求されている。
【先行技術文献】
【特許文献】
【０００３】
【特許文献１】特開２００２−３６２５７１号公報
【考案の概要】
【考案が解決しようとする課題】
【０００４】
しかしながら、従来の収容体カバーでは、そのような要求に応えられなかった。
また、収容体カバーの内面部が、収容体内の液体や収容体外の水滴などによって濡れてしまい、見た目が悪くなるという問題もある。
【０００５】
本考案は、このような問題を解決するためになされたものであり、デザイン性を向上させることができるだけでなく、内面部の見た目を綺麗に維持することができる収容体カバーを提供することを目的とする。
【課題を解決するための手段】
【０００６】
上記課題を解決するために、本考案は以下の手段を提供する。
本考案は、収容体を収容するカバー本体部を備え、前記カバー本体部は、外方側に露出する外面部と、前記外面部に対して内方側に配されて、装飾部が設けられた内面部とを備えることを特徴とする。
【０００７】
この考案によれば、デザイン性を向上させることができるだけでなく、内面部の見た目を綺麗に維持することができる。
【０００８】
また、前記カバー本体部の上端部が、前記外方側に折り返されて、前記装飾部が前記外方側に露出するように構成されていてもよい。
【０００９】
この考案によれば、さらにデザイン性を向上させることができる。
【００１０】
また、前記カバー本体部に、前記上端部を折り返すための折り返し線部が設けられていてもよい。
【００１１】
この考案によれば、折り返し線部を目安にして容易に折り曲げることができる。
【００１２】
また、前記上端部の幅方向の一端が、前記カバー本体部の上端から連続して切り欠かれた切り欠き部とされていてもよい。
【００１３】
この考案によれば、上端部を折り返し易くすることができるだけでなく、収容体の挿入口を広くすることができ、収容体の抜き差しを容易にすることができる。
【００１４】
また、前記一端が、下方から上方にわたって前記上端部の幅方向の他端側に傾斜していてもよい。
【００１５】
この考案によれば、上端部の折り返しを容易にすることができる。
【００１６】
また、前記折り返し線部が、前記切り欠き部の基端部から前記カバー本体部の上端側に傾斜していてもよい。
【００１７】
この考案によれば、上端部を折り返すときの折り返し面積を小さくすることができるだけでなく、切り欠き部を介した折り返し動作を容易にすることができる。
【００１８】
また、前記カバー本体部の上端が、前記上端部の幅方向の一端から他端にかけて、前記カバー本体部の下端側に傾斜していてもよい。
【００１９】
この考案によれば、上端部を折り返すときの折り返し面積を小さくすることができるだけでなく、切り欠き部を介した折り返し動作を容易にすることができる。
【００２０】
また、対向する前記内面部同士を固定する固定部が前記上端部に設けられていてもよい。
【００２１】
この考案によれば、収容体を収容したときに、収容体をカバー本体部の内方に固定することができる。
【考案の効果】
【００２２】
本考案によれば、デザイン性を向上させることができるだけでなく、内面部の見た目を綺麗に維持することができる。
【図面の簡単な説明】
【００２３】
【図１】本考案の実施形態としてのボトルカバーを示す正面図である。
【図２】図１の上端部を折り返さない状態を示した正面図である。
【図３】ペットボトルを収容した様子を切り欠き部の方向から示す側面図である。
【図４】図３の固定ボタンを固定した様子を示す側面図である。
【図５】図３の上端部を折り返した様子を示す側面図である。
【図６】図５を正面から見た様子を示す正面図である。
【図７】本考案の第１の変形例を示す正面図である。
【図８】本考案の第２の変形例を示す正面図である。
【図９】本考案の第３の変形例を示す正面図である。
【考案を実施するための形態】
【００２４】
（実施形態）
以下、本考案の実施形態におけるボトルカバーについて説明する。
図１及び図２は、ボトルカバー（収容体カバー）１を示す正面図である。
ボトルカバー１は、ペットボトルＰ（収容体、図３に示す）を収容するカバー本体部２を備えている。
カバー本体部２は、スチレンブタジエンゴムのシートの両面にポリエステルが貼りつけられて構成されている。このカバー本体部２は、底面部２ｃを有して筒状に形成されている。そして、カバー本体部２の筒穴に、ペットボトルＰが入れられ、当該ペットボトルＰの底面を底面部２ｃが支持することにより、ペットボトルＰが収容されるようになっている。
なお、カバー本体部２の表裏面のうち、表面側を外方側といい、裏面側を内方側という。すなわち、外方に露出している側を外方側といい、ペットボトルＰが入れられる筒穴の側を内方側という。
【００２５】
そして、カバー本体部２の外方側が外面部２ａとなっており、内方側が内面部２ｂとなっている。外面部２ａ及び内面部２ｂは、前述のようにポリエステルからなっている。また、底面部２ｃの外面と内面も、ポリエステルからなっている。
内面部２ｂには、デザインが施された装飾部３が設けられている。装飾部３は、種々の花の絵が施された花柄模様となっている。この装飾部３は、内面部２ｂの全面にわたって設けられている。
【００２６】
また、カバー本体部２の上端部２１１は、折り返し線部５を介して外方側に折り返されるようになっている。
折り返し線部５は、他よりも薄肉とされてライン状に形成されている。例えば、上端部２１１が外方側に折り返された状態でアイロンなどによって熱プレスされることにより設けられる。
この折り返し線部５は、カバー本体部２の幅方向Ｗの全長にわたって上方に傾斜して設けられている。すなわち、折り返し線部５の一端が、後述する切り欠き部２１ａの基端部２１ｃの近傍に設定され、折り返し線部５の他端が、一端よりも上方のカバー本体部２の上端２１ｂ側に設定されている。
なお、幅方向Ｗとは、カバー本体部２高さ方向（筒穴の長さ方向）Ｈに直交する方向をいう。また、カバー本体部２の高さ方向Ｈの中心に対して、上端２１ｂ側を上方Ｈ１といい、下端２ｄ側を下方Ｈ２という。
【００２７】
さらに、上端部２１１の幅方向Ｗの一端２１ｄには、切り欠き部２１ａが設けられている。切り欠き部２１ａは、図４に示すように、側面視して高さ方向Ｈに延ばされている。すなわち、カバー本体部２の上端２１ｂと一端２１ｄとが連続して設けられている。すなわち、切り欠き部２１ａは、上端２１ｂと一端２１ｄとにわたって、連続して切り欠かれている。これら上端２１ｂと切り欠かれた一端２１ｄとにより、上端部２１１の上方から側方にわたって、ペットボトルＰを出し入れするための挿入口が構成される。
また、一端２１ｄは、下方Ｈ２から上方Ｈ１の全長にわたって、上端部２１１の他端２１ｅの側に傾斜している。すなわち、上端部２１１の幅寸法が、下方Ｈ２から上方Ｈ１にわたって、漸次小さくなるように設定されている。
【００２８】
上端２１ｂは、一端２１ｄから他端２１ｅの全長にわたって、下方Ｈ２側に傾斜している。すなわち、カバー本体部２の高さ寸法が、一端２１ｄから他端２１ｅにわたって、漸次小さくなるように設定されている。
また、上端部２１１の一端２１ｄ側の上方であって、厚さ方向に対向する位置には、一対の固定ボタン４（固定部）が設けられている。固定ボタン４は、対向する内面部２ｂ同士を固定するようになっている。
【００２９】
次いで、ボトルカバー１の利用方法について説明する。
まず、ペットボトルＰを収容する場合について説明する。
固定ボタン４を解放すると、上端２１ｂと一端２１ｄとによって、上端部２１１の上方から側方にかけて、挿入口として開口される。そして、図３に示すように、その挿入口からペットボトルＰを底面側から挿入していくと、ペットボトルＰの底面が底面部２ｃに到達し支持される。これにより、ペットボトルＰの外周面が覆われる。
【００３０】
さらに、図４に示すように、固定ボタン４を固定することにより、上端部２１１の一端２１ｄの上方同士が固定される。これにより、ペットボトルＰの外面が覆われて、ボトルカバー１内に固定される。この状態では、ペットボトルＰがカバー本体部２から抜け落ちることが防止され、カバンの中などに入れて携行し易くなる。
このように、ペットボトルＰを出し入れしたり固定したりするとき、内面部２ｂに装飾部３が設けられていることから、固定ボタン４の固定・解放にかかわらず、上端２１ｂや切り欠き部２１ａの隙間から装飾部３が外方から見え隠れするようになる。
【００３１】
一方、ペットボトルＰの中の飲料を飲む場合、図４に示す固定ボタン４を解放する。これにより、上端部２１１の上方から側方にかけて、挿入口が開口される。この状態から、図５又は図６に示すように、折り返し線部５を介して上端部２１１を外方側に折り返していく。このとき、折り返し線部５が薄肉状のラインになっていることから、折り返し線部５に沿って容易に折り曲げられるようになり、折り返し線部５のライン上において折り返し位置が保持される。このように上端部２１１が折り返されると、内面部２ｂの装飾部３が外方に露出され、花柄模様が外方から容易に目視できるようになる。
【００３２】
また、上端部２１１が折り返されると、上端２１ｂと一端２１ｄが傾斜していることから、他端２１ｅ側の折り返し面積を小さくしつつ、図５に示すように、切り欠き部２１ａが下方Ｈ２に広がった状態になる。この状態から、切り欠き部２１ａ側を手前側にして、ペットボトルＰの口を開けて飲料を飲むことができる。
さらに、飲み終わったら、ペットボトルＰの口を締めて、前記と同様にペットボトルＰを収容する。
【００３３】
以上より、本実施形態におけるボトルカバー１によれば、内面部２ｂに装飾部３が設けられていることから、上端部２１１を折り返さない状態においても、上端２１ｂや切り欠き部２１ａの隙間から装飾部３が外方から見え隠れするようになる。また、ペットボトルＰの中の飲料やペットボトルＰの外面の水滴などによって、内面部２ｂが濡れることがあっても、装飾部３の装飾によって、その濡れが目立たなくなる。
そのため、ボトルカバー１によれば、デザイン性を向上させることができるだけでなく、内面部２ｂの見た目を綺麗に維持することができる。
【００３４】
また、上端部２１１を折り返した状態にすると、装飾部３が外方に露出することから、さらにデザイン性を向上させることができる。また、上端部２１１を折り返さない状態では、ペットボトルＰの全面を保護することができ、上端部２１１を折り返した状態では、ペットボトルＰの先端部を外方に露出させ、飲み易くすることができる。
また、折り返し線部５が設けられていることから、このラインを目安にして容易に折り曲げることができる。さらに、折り返し線部５が薄肉状のラインとして形成されていることから、この折り返し線部５に沿って上端部２１１が容易に折り曲げられるようになり、折り返し線部５のライン上において折り返し位置を保持することができる。さらに、折り返し部位を緩やかに湾曲させることなく、折り返し線部５に沿って、折り返し部位を薄くしっかりと折り曲げることができる。そのため、上端部２１１を折り返すと、上端部２１１が外方に膨らまず、外面部２ａに沿って折り返された状態が保持されるため、カバー本体部２を把持し易くすることができ、ペットボトルＰの飲料を飲み易くすることができる。
【００３５】
また、切り欠き部２１ａが設けられていることから、上端部２１１をさらに折り返し易くすることができるだけでなく、ペットボトルＰの挿入口を広くすることができ、ペットボトルＰの抜き差しを容易にすることができる。
また、一端２１ｄが下方Ｈ２から上方Ｈ１にわたって他端２１ｅ側に傾斜していることから、上端部２１１の折り返しを容易にすることができる。さらに、上端部２１１を折り返したときに、切り欠き部２１ａを下方Ｈ２に向かって末広がりに配することができ、切り欠き部２１ａを手前にして、ペットボトルＰの飲料を飲み易くすることができる。
【００３６】
また、折り返し線部５が基端部２１ｃから上方Ｈ１側に傾斜していることから、上端部２１１を折り返すときの折り返し面積を小さくすることができるだけでなく、切り欠き部２１ａを介した折り返し動作を容易にすることができる。
また、上端２１ｂが下方Ｈ２側に傾斜していることから、上端部２１１を折り返すときの折り返し面積を小さくすることができるだけでなく、切り欠き部２１ａを介した折り返し動作を容易にすることができる。また、上端部２１１を折り返したときの上端２１ｂのラインが、幅方向Ｗに対して傾斜することから、デザイン性を向上させることができる。
【００３７】
また、固定ボタン４が設けられていることから、ペットボトルＰを収容したときに、ペットボトルＰをカバー本体部２の内方に固定することができるだけでなく、上端部２１１を折り返したときに固定ボタン４が外方に露出することから、装飾部３のアクセントとして機能させることができ、デザイン性を向上させることができる。また、固定ボタン４が外方側にも露出していることから、上端部２１１を折り返さない状態においても、アクセントとしてデザイン性を向上させることができる。
【００３８】
なお、本考案の技術範囲は上記の実施形態に限定されるものではなく、本考案の趣旨を逸脱しない範囲において、種々の変更を加えることが可能である。
例えば、装飾部３のデザインが花柄模様とされているが、これに限ることはなく、デザインや色柄などは適宜変更可能である。花柄模様以外にも、豹柄、チェック、線図、ロゴ、文字、キャラクター、動植物など種々のバリエーションがあり得る。具体的には、図７に示すように、装飾部３ａを豹柄模様にすることができる。また、図８に示すように、装飾部３ｂをチェック柄にすることができる。
【００３９】
また、上端部２１１が折り返されるようになっているとしたが、これに限ることはなく、折り返さないようにしてもよい。例えば、図９に示すように、ボトルカバー１ａは、カバー本体部２を備えており、このカバー本体部２は、筒状本体部２５ａと取手部２５ｂとを備えている。そして、筒状本体部２５ａの上端に取手部２５ｂが一体に設けられている。取手部２５ｂは、環状に形成されている。また、取手部２５ｂの内面部２ｂと筒状本体部２５ａの内面部２ｂとにわたって、花柄模様の装飾部３が設けられている。すなわち、カバー本体部２の内面部２ｂに装飾部３が設けられている。
【００４０】
このようなボトルカバー１ａにおいては、取手部２５ｂの内面部２ｂに設けられた装飾部３が、外方から容易に目視され、また、筒状本体部２５ａの内面部２ｂに設けられた装飾部３が、上端から見え隠れする。
これにより、デザイン性を向上させることができるだけでなく、内面部２ｂの見た目を綺麗に維持することができる。特に、取手部２５ｂの内面部２ｂは、手に触れられることにより汚れなどが付きやすいが、装飾部３により、汚れなどを目立たなくさせることができる。
なお、ボトルカバー１ａにおいて、装飾部３が取手部２５ｂ及び筒状本体部２５ａの内面に設けられるとしたが、これに限ることはなく、少なくともいずれか一方に設けられていればよい。
【００４１】
また、装飾部３は、内面部２ｂの全面に設けられている必要はなく、内面部２ｂの一部分に設けられていてもよい。
また、ボトルカバー１においては、内面部２ｂの全面に装飾部３が設けられるとしたが、これに限ることはなく、装飾箇所は適宜変更可能である。例えば、上端部２１１の内面部２ｂのみに装飾部３が設けられるようにしてもよい。また、上端部２１１の内面部２ｂには設けず、それ以外のカバー本体部２の内面部２ｂにのみ設けてもよい。
また、折り返し線部５が設けられるとしたが、これに限ることはなく、この折り返し線部５を設けないようにしてもよい。
【００４２】
また、切り欠き部２１ａが設けられるとしたが、これに限ることはなく、この切り欠き部２１ａを設けないようにしてもよい。
また、一端２１ｄが他端２１ｅ側に傾斜しているとしたが、これに限ることはなく、傾斜させないようにしてもよい。
また、折り返し線部５が上方Ｈ１に傾斜しているとしたが、これに限ることはなく、傾斜させないようにしてもよい。
また、上端２１ｂが下方Ｈ２に傾斜しているとしたが、これに限ることはなく、傾斜させないようにしてもよい。
また、固定ボタン４が設けられるとしたが、これに限ることはなく、この固定ボタン４は設けなくてもよい。
【００４３】
また、折り返し線部５が熱プレスによる薄肉状のラインからなるとしたが、これに限ることはなく、その構成は適宜変更可能である。例えば、内部のスチレンブタジエンゴムのシートを分離させた分離線にしたり、縫製などによる縫い目線にしたりしてもよい。
また、固定ボタン４が設けられるとしたが、これに限ることはなく、適宜変更可能である。例えば、紐、ファスナー、面ファスナーなどでもよい。
また、カバー本体部２の素材として、ポリエステルとしたが、これに限ることはなく、適宜変更可能である。例えば、外面部２ａとして、以下の生地を使用することができる。綿、ポリエステル、ポリウレタン、ポリ塩化ビニル、ナイロン、アクリル、アセテート、キュブラ、レーヨン、麻、絹、ウール、スチレン性ゴム、ビニール、不織布、ガーゼ、カシミア、デニム、ツイ―ル、フェルト、ポリプロピレンなど。
また、内面部２ｂとして、以下の生地を使用することができる。アルミ、綿、ポリエステル、ポリウレタン、ポリ塩化ビニル、ナイロン、アクリル、アセテート、キュブラ、レーヨン、麻、絹、ウール、スチレン性ゴム、ビニール、不織布、ガーゼ、カシミア、デニム、ツイ―ル、フェルト、ポリプロピレンなど。
また、収容体としてペットボトルＰを挙げたが、これに限ることはなく、被収容物を収容する収容体であれば適宜変更可能である。被収容物としては、各種食品や飲料などであってもよい。また、収容体としては、例えば、ステンレスボトルや水筒などのボトルであってもよいし、ジャーや弁当箱等であってもよい。すなわち、収容体カバーとして、ボトルカバー、ジャーカバー、弁当カバー（ランチバッグなど）であってもよい。
【符号の説明】
【００４４】
１,１ａ  ボトルカバー（収容体カバー）
２  カバー本体部
２ａ  外面部
２ｂ  内面部
２１ａ  切り欠き部
２１ｂ  上端
２１ｃ基端部
２１ｄ  一端
２１ｅ  他端
２１１  上端部
３,３ａ,３ｂ  装飾部
４  固定ボタン（固定部）
５  折り返し線部
Ｈ１  上方
Ｈ２  下方
Ｐ  ペットボトル（収容体）
Ｗ  幅方向
【図１】
0003199185.tif 000003
【図２】
0003199185.tif 000004
【図３】
0003199185.tif 000005
【図４】
0003199185.tif 000006
【図５】
0003199185.tif 000007
【図６】
0003199185.tif 000008
【図７】
0003199185.tif 000009
【図８】
0003199185.tif 000010
【図９】
0003199185.tif 000011